(57)【要約】【課題】画像を見やすくすることができる画像形成装置を得る。【解決手段】本発明の画像形成装置は、複数の第１のページ画像のそれぞれから第１の部分画像を抽出する抽出部と、複数の第１の部分画像および所定画像を並べて配置することにより第２のページ画像を生成する配置部と、第２のページ画像に基づいて画像を形成する画像形成部とを備える。【選択図】図３
2018046363.tif 000002
【特許請求の範囲】
【請求項１】
複数の第１のページ画像のそれぞれから第１の部分画像を抽出する抽出部と、
複数の前記第１の部分画像および所定画像を並べて配置することにより第２のページ画像を生成する配置部と、
前記第２のページ画像に基づいて画像を形成する画像形成部と
を備えた画像形成装置。
【請求項２】
前記第２のページ画像における、複数の前記第１の部分画像および前記所定画像のレイアウトを示すレイアウト情報を記憶する記憶部をさらに備え、
前記配置部は、前記レイアウト情報に基づいて、複数の前記第１の部分画像および前記所定画像を配置する
請求項１に記載の画像形成装置。
【請求項３】
前記配置部は、複数の前記第１の部分画像の大きさを第１の倍率により変更するとともに、前記所定画像の大きさを第２の倍率により変更し、大きさが変更された複数の前記第１の部分画像および前記所定画像を並べて配置する
請求項２に記載の画像形成装置。
【請求項４】
前記第１の倍率は、前記第２の倍率よりも小さい
請求項３に記載の画像形成装置。
【請求項５】
前記第１の倍率は、第１の方向における第１の方向倍率と、第２の方向における第２の方向倍率とを含み、
前記第１の方向倍率は、前記第２の方向倍率と異なる
請求項３または請求項４に記載の画像形成装置。
【請求項６】
前記第２の倍率は、第１の方向における第１の方向倍率と、第２の方向における第２の方向倍率とを含み、
前記第１の方向倍率は、前記第２の方向倍率と異なる
請求項３または請求項４に記載の画像形成装置。
【請求項７】
前記配置部は、前記第１の方向倍率と前記第２の方向倍率との比を、所定の範囲内に制限する
請求項５または請求項６に記載の画像形成装置。
【請求項８】
選択部をさらに備え、
前記記憶部は、第１の画像と、第２の画像とをさらに記憶し、
前記選択部は、前記第１の画像および前記第２の画像のうちの一方を前記所定画像として選択する
請求項２から請求項７のいずれか一項に記載の画像形成装置。
【請求項９】
前記第１の画像の、第１の方向における幅と第２の方向における幅との第１の比率は、前記第２の画像の、前記第１の方向における幅と前記第２の方向における幅との第２の比率と異なる
請求項８に記載の画像形成装置。
【請求項１０】
前記選択部は、前記レイアウト情報に基づいて、前記第１の画像および前記第２の画像のうちの一方を選択する
請求項８または請求項９に記載の画像形成装置。
【請求項１１】
前記選択部は、前記レイアウト情報における、前記所定画像を配置すべき配置領域の形状に基づいて、前記第１の画像および前記第２の画像のうちの一方を選択する
請求項１０に記載の画像形成装置。
【請求項１２】
前記選択部は、前記レイアウト情報における前記第２のページ画像の向きに基づいて、前記第１の画像および前記第２の画像のうちの一方を選択する
請求項１０に記載の画像形成装置。
【請求項１３】
前記配置部は、前記レイアウト情報における、複数の前記第１の部分画像を配置すべき複数の配置領域と、複数の前記第１の部分画像との対応付けを決定し、その決定結果に基づいて、複数の前記第１の部分画像を配置する
請求項２から請求項１２のいずれか一項に記載の画像形成装置。
【請求項１４】
前記複数の配置領域は、第１の配置領域と、前記第１の配置領域よりも大きい第２の配置領域とを含む
請求項１３に記載の画像形成装置。
【請求項１５】
前記第１のページ画像のそれぞれには、前記第１の部分画像および第２の部分画像が並んで配置された
請求項１から請求項１４のいずれか一項に記載の画像形成装置。
【請求項１６】
前記所定画像に含まれる情報の種類は、前記第２の部分画像に含まれる情報の種類と同じである
請求項１５に記載の画像形成装置。
【請求項１７】
前記抽出部は、前記第１の部分画像と前記第２の部分画像との間の境界を検出し、その検出結果に基づいて前記第１のページ画像から前記第１の部分画像を抽出する
請求項１５または請求項１６に記載の画像形成装置。
【請求項１８】
前記抽出部は、前記第２の部分画像を検出し、その検出結果に基づいて前記第１のページ画像から前記第１の部分画像を抽出する
請求項１５から請求項１７のいずれか一項に記載の画像形成装置。
【請求項１９】
前記画像形成部は、記録媒体に画像を形成する
請求項１から請求項１８のいずれか一項に記載の画像形成装置。
【請求項２０】
前記画像形成部は、表示画面に画像を形成する
請求項１から請求項１８のいずれか一項に記載の画像形成装置。
【請求項２１】
複数の第１のページ画像のそれぞれから第１の部分画像を抽出する抽出部と、
複数の前記第１の部分画像および所定画像を、論理ページ内に並べて配置することにより第２のページ画像を生成する配置部と、
前記第２のページ画像を送信する通信部と
を備えた画像処理装置。
【発明の詳細な説明】
【技術分野】
【０００１】
本発明は、画像を形成する画像形成装置、および画像処理を行う画像処理装置に関する。
【背景技術】
【０００２】
画像形成装置では、しばしば、複数のページ画像を１枚の記録媒体に印刷する場合がある。例えば、特許文献１には、複数のページ画像を縮小して１枚の記録媒体に印刷するとともに、ウォーターマークを重ねて印刷する画像形成装置が開示されている。
【先行技術文献】
【特許文献】
【０００３】
【特許文献１】特開２００４−２６０２７３号公報
【発明の概要】
【発明が解決しようとする課題】
【０００４】
ところで、画像形成装置では、画像が見やすいことが望まれており、見やすさのさらなる向上が期待されている。
【０００５】
画像を見やすくすることができる画像形成装置および画像処理装置を提供することが望ましい。
【課題を解決するための手段】
【０００６】
本発明の一実施の形態における画像形成装置は、抽出部と、配置部と、画像形成部とを備えている。抽出部は、複数の第１のページ画像のそれぞれから第１の部分画像を抽出するものである。配置部は、複数の第１の部分画像および所定画像を並べて配置することにより第２のページ画像を生成するものである。画像形成部は、第２のページ画像に基づいて画像を形成するものである。
【０００７】
本発明の一実施の形態における画像処理装置は、抽出部と、配置部と、通信部とを備えている。抽出部は、複数の第１のページ画像のそれぞれから第１の部分画像を抽出するものである。配置部は、複数の第１の部分画像および所定画像を並べて配置することにより第２のページ画像を生成するものである。通信部は、第２のページ画像を送信するものである。
【発明の効果】
【０００８】
本発明の一実施の形態における画像形成装置および画像処理装置によれば、複数の第１のページ画像のそれぞれから第１の部分画像を抽出し、複数の第１の部分画像および所定画像を並べて配置したので、画像を見やすくすることができる。
【図面の簡単な説明】
【０００９】
【図１】一実施の形態に係る情報処理システムの一構成例を表すブロック図である。
【図２】図１に示した多機能周辺装置の一動作例を表す説明図である。
【図３】図１に示した多機能周辺装置の他の動作例を表す説明図である。
【図４】図１に示したレイアウト情報の一例を表す説明図である。
【図５】図１に示したレイアウト情報の一例を表す他の説明図である。
【図６】図１に示した処理部の一構成例を表すブロック図である。
【図７】図６に示した処理部の一動作例を表すフローチャートである。
【図８】図７に示した設定処理の一例を表すフローチャートである。
【図９】図７に示した設定処理における表示画像の一例を表す画像図である。
【図１０】図７に示した設定処理における他の表示画像の一例を表す画像図である。
【図１１】図７に示した設定処理における他の表示画像の一例を表す画像図である。
【図１２】図７に示した設定処理における他の表示画像の一例を表す画像図である。
【図１３】図７に示した領域解析処理の一例を表すフローチャートである。
【図１４】図７に示した画像抽出処理の一例を表すフローチャートである。
【図１５】図７に示した画像生成処理の一例を表すフローチャートである。
【図１６】比較例に係る多機能周辺装置の一動作例を表す説明図である。
【図１７】変形例に係る多機能周辺装置の一動作例を表す説明図である。
【図１８】他の変形例に係る多機能周辺装置の一動作例を表す説明図である。
【図１９】他の変形例に係る多機能周辺装置の一動作例を表す説明図である。
【図２０】他の変形例に係る多機能周辺装置の一動作例を表す説明図である。
【図２１Ａ】他の変形例に係る不動産情報画像の一動作例を表す説明図である。
【図２１Ｂ】他の変形例に係る不動産情報画像の一動作例を表す説明図である。
【図２１Ｃ】他の変形例に係る不動産情報画像の一動作例を表す説明図である。
【図２１Ｄ】他の変形例に係る不動産情報画像の一動作例を表す説明図である。
【図２１Ｅ】他の変形例に係る不動産情報画像の一動作例を表す説明図である。
【図２１Ｆ】他の変形例に係る不動産情報画像の一動作例を表す説明図である。
【図２２】他の変形例に係る不動産情報画像の一動作例を表す説明図である。
【図２３】他の変形例に係る多機能周辺装置の一動作例を表す説明図である。
【図２４】他の変形例に係る多機能周辺装置の一動作例を表す説明図である。
【図２５】他の変形例に係る多機能周辺装置の一動作例を表す説明図である。
【図２６】他の変形例に係る不動産情報画像の一動作例を表す説明図である。
【図２７】他の変形例に係る情報処理システムの一構成例を表すブロック図である。
【図２８】図２７に示した処理部の一構成例を表すブロック図である。
【図２９】図２７に示した処理部の一動作例を表す説明図である。
【図３０】他の変形例に係る不動産情報画像の一動作例を表す説明図である。
【図３１】他の変形例に係る不動産情報画像の一動作例を表す説明図である。
【図３２】他の変形例に係る情報処理システムの一構成例を表すブロック図である。
【発明を実施するための形態】
【００１０】
以下、本発明の実施の形態について、図面を参照して詳細に説明する。
【００１１】
［構成例］
図１は、本発明の一実施の形態に係る画像形成装置が適用された情報処理システム（情報処理システム１）の一構成例を表すものである。情報処理システム１は、複数の不動産業者が取り扱う様々な不動産物件を一括して管理するシステムである。
【００１２】
情報処理システム１は、物件情報サーバ装置９と、物件情報登録装置８と、多機能周辺装置（ＭＦＰ；Multi Function Peripheral）１０とを有している。物件情報サーバ装置９、物件情報登録装置８、および多機能周辺装置１０は、インターネットＮＥＴに接続されており、インターネットＮＥＴを介して互いに通信可能に構成されている。
【００１３】
物件情報サーバ装置９は、複数の不動産業者が取り扱う様々な不動産物件についての情報（不動産情報ＩＮＦ）を一括して管理するものである。物件情報サーバ装置９は、例えば、日本においては、レインズ（登録商標）システムに用いられるサーバ装置である。物件情報サーバ装置９が管理する不動産情報ＩＮＦは、例えば、物件情報登録装置８により登録される。また、物件情報サーバ装置９は、多機能周辺装置１０から送信された検索キーワードに基づいて不動産情報ＩＮＦを選択し、選択した不動産情報ＩＮＦを多機能周辺装置１０に送信するようになっている。
【００１４】
物件情報登録装置８は、例えば、不動産を貸したい人や売りたい人に依頼された不動産業者により管理される装置であり、貸したい不動産物件や売りたい不動産物件に係る不動産情報ＩＮＦを物件情報サーバ装置９に登録するものである。物件情報登録装置８は、例えばパーソナルコンピュータや多機能周辺装置などを用いて構成されるものである。
【００１５】
多機能周辺装置１０は、例えば、不動産を借りたい人や買いたい人に不動産物件を紹介する不動産業者により管理される装置であり、コピー、ファクシミリ、スキャナなどの機能を有するものである。また、多機能周辺装置１０は、例えば、物件情報サーバ装置９に対して検索キーワードを送信し、その検索キーワードに基づいて選択された不動産情報ＩＮＦを受信する機能をも有している。そして、多機能周辺装置１０、この不動産情報ＩＮＦに含まれる不動産情報画像Ｐ１に基づいて不動産情報画像Ｐ２を生成し、この不動産情報画像Ｐ２を、紙などの記録媒体に印刷するようになっている。
【００１６】
図２は、多機能周辺装置１０の一動作例を表すものであり、（Ａ）は不動産情報画像Ｐ１の一例を示し、（Ｂ）は不動産情報画像Ｐ２の一例を示す。この例では、多機能周辺装置１０は、１枚の不動産情報画像Ｐ１に基づいて、１枚の不動産情報画像Ｐ２を生成している。
【００１７】
不動産情報画像Ｐ１は、図２（Ａ）に示したように、物件情報画像Ｐ１１と、業者情報画像Ｐ１２とを含んでいる。物件情報画像Ｐ１１は、例えば、不動産物件の外観写真、間取り図、価格（家賃、取引価格など）、住所、最寄駅など、賃貸や売買の対象となる不動産物件についての情報を含んでいる。業者情報画像Ｐ１２は、その不動産情報ＩＮＦを物件情報サーバ装置９に登録した不動産業者の業者名（この例では“Ａ不動産”）、住所、電話番号などの情報を含んでいる。言い換えれば、業者情報画像Ｐ１２は、例えば、不動産を貸したい人や売りたい人に依頼された不動産業者の情報を含んでいる。
【００１８】
不動産情報画像Ｐ２は、図２（Ｂ）に示したように、物件情報画像Ｐ２１と、業者情報画像Ｐ２２とを含んでいる。物件情報画像Ｐ２１は、物件情報画像Ｐ１１に対応するものであり、賃貸や売買の対象となる不動産物件についての情報を含んでいる。業者情報画像Ｐ２２は、物件情報サーバ装置９から不動産情報ＩＮＦを取得した不動産業者の業者名（この例では“Ｃ不動産”）、住所、電話番号などの情報を含んでいる。言い換えれば、業者情報画像Ｐ２２は、不動産を借りたい人や買いたい人に不動産物件を紹介する不動産業者の情報を含んでいる。
【００１９】
この図２の例では、多機能周辺装置１０は、１枚の不動産情報画像Ｐ１に基づいて、１枚の不動産情報画像Ｐ２を生成する。すなわち、多機能周辺装置１０は、例えば１０枚の不動産情報画像Ｐ１を受信した場合には、１０枚の不動産情報画像Ｐ２を生成する。その際、多機能周辺装置１０は、不動産情報画像Ｐ１に含まれる業者情報画像Ｐ１２を業者情報画像Ｐ２２に置き換えることにより、不動産情報画像Ｐ２を生成するようになっている。
【００２０】
図３は、多機能周辺装置１０の他の動作例を表すものであり、（Ａ）は不動産情報画像Ｐ１の一例を示し、（Ｂ）は不動産情報画像Ｐ２の一例を示し、（Ｃ）は不動産情報画像Ｐ２の他の例を示す。この例では、多機能周辺装置１０は、予め設定した複数枚（“Ｎ”枚）の不動産情報画像Ｐ１に基づいて、１枚の不動産情報画像Ｐ２を生成している。
【００２１】
図３（Ａ）に示したように、多機能周辺装置１０は、この例では、４枚の不動産情報画像Ｐ１を受信している。不動産情報画像Ｐ１のそれぞれは、物件情報画像Ｐ１１と、業者情報画像Ｐ１２とを含んでいる。４枚の不動産情報画像Ｐ１における４つの物件情報画像Ｐ１１は、互いに異なるものである。すなわち、これらの４つの不動産情報ＩＮＦは、互いに異なる不動産物件に係るものである。４枚の不動産情報画像Ｐ１における４つの業者情報画像Ｐ１２は、例えば、全てが同じ不動産業者に係るものであってもよいし、例えば、互いに異なる不動産業者に係るものであってもよい。
【００２２】
多機能周辺装置１０は、この例では、“Ｎ”枚の不動産情報画像Ｐ１に基づいて、１枚の不動産情報画像Ｐ２を生成する。具体的には、例えば、図３（Ｂ）の例では、多機能周辺装置１０は、４枚（Ｎ＝４）の不動産情報画像Ｐ１に基づいて、１枚の不動産情報画像Ｐ２を生成している。この不動産情報画像Ｐ２は、４つの物件情報画像Ｐ２１と、１つの業者情報画像Ｐ２２とを含んでいる。すなわち、多機能周辺装置１０は、４つの物件情報画像Ｐ１１に基づいて４つの物件情報画像Ｐ２１を生成し、この４つの物件情報画像Ｐ２１と１つの業者情報画像Ｐ２２とを並べて配置している。また、例えば、図３（Ｃ）の例では、多機能周辺装置１０は、４枚の不動産情報画像Ｐ１に基づいて、２枚の不動産情報画像Ｐ２を生成している。すなわち、多機能周辺装置１０は、２枚（Ｎ＝２）の不動産情報画像Ｐ１に基づいて、１枚の不動産情報画像Ｐ２を生成している。不動産情報画像Ｐ２のそれぞれは、２つの物件情報画像Ｐ２１と、１つの業者情報画像Ｐ２２とを含んでいる。すなわち、多機能周辺装置１０は、２つの物件情報画像Ｐ１１に基づいて２つの物件情報画像Ｐ２１を生成し、２つの物件情報画像Ｐ２１と１つの業者情報画像Ｐ２２とを並べて配置している。
【００２３】
このように、多機能周辺装置１０は、この図３の例では、“Ｎ”枚の不動産情報画像Ｐ１に基づいて、１枚の不動産情報画像Ｐ２を生成する。すなわち、多機能周辺装置１０は、例えば、図３（Ｂ）の例では、３枚の不動産情報画像Ｐ２を生成する。その際、３枚目の不動産情報画像Ｐ２には、２つの物件情報画像Ｐ２１が配置される。また、多機能周辺装置１０は、１０枚の不動産情報画像Ｐ１を受信した場合には、図３（Ｃ）の例では、５枚の不動産情報画像Ｐ２を生成する。この場合でも、多機能周辺装置１０は、不動産情報画像Ｐ１に含まれる業者情報画像Ｐ１２を業者情報画像Ｐ２２に置き換えることにより、不動産情報画像Ｐ２を生成するようになっている
【００２４】
このようにして生成された不動産情報画像Ｐ２は、例えば紙などの記録媒体に印刷され、不動産を借りたい人や買いたい人に提示される。これにより、情報処理システム１では、不動産業者を仲介して、不動産の賃貸や売買をスムースに行うことができるようになっている。
【００２５】
多機能周辺装置１０（図１）は、ネットワーク通信部１１と、ＦＡＸ通信部１２と、操作部１３と、表示部１４と、画像読取部１５と、画像形成部１６と、不動産情報取得部１７と、記憶部１８と、処理部２０と、制御部１９とを有している。
【００２６】
ネットワーク通信部１１は、ネットワーク通信を行うものであり、例えば、有線ＬＡＮ（Local Area Network）または無線ＬＡＮを用いて図示しないルータに接続され、このルータを介してインターネットＮＥＴに接続される。これにより、ネットワーク通信部１１は、インターネットＮＥＴに接続された他のネットワーク装置との間で通信を行うことができるようになっている。
【００２７】
ＦＡＸ通信部１２は、電話回線を介して通信相手との間でデータを送受信するものである。操作部１３は、ユーザの操作を受け付けるものであり、タッチパネル、各種ボタンなどを用いて構成されるものである。表示部１４は、多機能周辺装置１０の動作状態などを表示するものであり、例えば、液晶ディスプレイを用いて構成されるものである。画像読取部１５は、紙などの読取媒体に印刷された情報を読み取ることにより読取データを生成するものである。画像形成部１６は、紙などの記録媒体に画像を形成するものである。
【００２８】
不動産情報取得部１７は、ネットワーク通信部１１を介して、物件情報サーバ装置９から不動産情報ＩＮＦを取得するものである。具体的には、不動産情報取得部１７は、例えば、操作部１３や表示部１４を用いて、ユーザに、検索キーワードを入力させる。この検索キーワードは、例えば、不動産物件の間取り、価格（家賃、取引価格など）、駅からの距離などであり、不動産を借りたい人や買いたい人の希望を反映したものである。多機能周辺装置１０は、この検索キーワードを、物件情報サーバ装置９に送信し、その検索キーワードに基づいて選択された不動産情報ＩＮＦ（不動産情報画像Ｐ１）を受信する。このようにして、不動産情報取得部１７は、不動産情報ＩＮＦを取得するようになっている。
【００２９】
記憶部１８は、例えば、一時記憶領域として機能するＲＡＭ（Random Access Memory）や、各種設定情報やファームウェアなどを記憶する不揮発性メモリなどを含んで構成されるものである。記憶部１８は、不動産情報画像Ｐ１と、業者情報画像Ｐ２２と、レイアウト情報ＩＬとを記憶するものである。
【００３０】
不動産情報画像Ｐ１は、不動産情報取得部１７により物件情報サーバ装置９から取得され、記憶部１８に記憶される。記憶部１８は、この不動産情報画像Ｐ１を複数記憶することができるように構成されている。そして、多機能周辺装置１０では、記憶部１８に記憶された不動産情報画像Ｐ１に基づいて、不動産情報画像Ｐ２を生成するようになっている。
【００３１】
業者情報画像Ｐ２２は、例えば、図示しないパーソナルコンピュータにより作成され、この記憶部１８に記憶される。なお、これに限定されるものではなく、業者情報画像Ｐ２２は、例えば、業者情報画像Ｐ２２が印刷された読取媒体から画像読取部１５により読み取られてもよい。また、業者情報画像Ｐ２２は、例えば、不動産情報画像Ｐ１から抽出された業者情報画像Ｐ１２であってもよい。記憶部１８は、この業者情報画像Ｐ２２を複数記憶することができるように構成されている。具体的には、例えば、例えば図３（Ｂ）に示したように、横向きの論理ページＬＰに配置するための業者情報画像Ｐ２２と、図３（Ｃ）に示したように、縦向きの論理ページＬＰに配置するための業者情報画像Ｐ２２とを準備してもよい。そして、多機能周辺装置１０では、ユーザからの指示に基づいて、記憶部１８に記憶された複数の業者情報画像Ｐ２２から、使用する業者情報画像Ｐ２２を選択することができるようになっている。
【００３２】
レイアウト情報ＩＬは、不動産情報画像Ｐ２（図２（Ｂ）や図３（Ｂ），（Ｃ））における、１または複数の物件情報画像Ｐ２１および１つの業者情報画像Ｐ２２の配置を示す情報である。レイアウト情報ＩＬは、例えば、図示しないパーソナルコンピュータにより作成され、この記憶部１８に記憶されるようになっている。
【００３３】
以下に、レイアウト情報ＩＬについて詳細に説明する。ここでは、一例として、図３（Ｂ）に示したように、論理ページＬＰに４つの物件情報画像Ｐ２１および１つの業者情報画像Ｐ２２を配置する場合について説明する。
【００３４】
図４は、論理ページＬＰにおけるレイアウトの一例を表すものである。論理ページＬＰには、出力ページ領域ＲＰが設けられる。この出力ページ領域ＲＰの幅は“ｘ”であり、高さは“ｙ”（＝ｎｕｙ＋ｙ２）である。この出力ページ領域ＲＰは、物件情報領域Ｒ１および業者情報領域Ｒ２を含んでいる。この例では、物件情報領域Ｒ１および業者情報領域Ｒ２は、図４における縦方向に並んで配置されている。物件情報領域Ｒ１は、例えば、図３（Ｂ）に示した４つの物件情報画像Ｐ２１が配置される領域であり、物件情報領域Ｒ１の幅は“ｘ”であり、物件情報領域Ｒ１の高さは“ｎｕｙ”である。業者情報領域Ｒ２は、図３（Ｂ）に示した業者情報画像Ｐ２２が配置される領域であり、業者情報領域Ｒ２の幅は“ｘ”であり、業者情報領域Ｒ２の高さは“ｙ２”である。
【００３５】
図５は、論理ページＬＰにおけるより詳細なレイアウトの一例を表すものである。図５に示したように、論理ページＬＰには、物件情報領域Ｒ１１，Ｒ１２，Ｒ１３，Ｒ１４が設けられている。この物件情報領域Ｒ１１，Ｒ１２，Ｒ１３，Ｒ１４は、図４に示した物件情報領域Ｒ１に対応するものであり、２行２列で配置されている。物件情報領域Ｒ１１，Ｒ１２，Ｒ１３，Ｒ１４のそれぞれの幅は“ｘ１”であり、高さは“ｙ１”である。論理ページＬＰにおいて、左側には幅“ａ”の余白が設定され、右側には幅“ｃ”の余白が設定され、上側には幅“ｄ”の余白が設定され、下側には幅“ｆ”の余白が設定されている。また、例えば、物件情報領域Ｒ１１と物件情報領域Ｒ１３との間、物件情報領域Ｒ１３と業者情報領域Ｒ２との間、物件情報領域Ｒ１２と物件情報領域Ｒ１４との間、および物件情報領域Ｒ１４と業者情報領域Ｒ２との間には、間隔“ｅ”が設定されている。また、例えば、物件情報領域Ｒ１１と物件情報領域Ｒ１２との間、および物件情報領域Ｒ１３と物件情報領域Ｒ１４との間には、間隔“ｂ”が設定されている。
【００３６】
レイアウト情報ＩＬは、物件情報領域Ｒ１１，Ｒ１２，Ｒ１３，Ｒ１４および業者情報領域Ｒ２のそれぞれについての、配置位置（座標）、幅、高さ、回転角などの情報を含んでいる。これらのパラメータのうち、配置位置、幅、および高さは、規格化された値として設定されている。そして、不動産情報画像Ｐ２を印刷する記録媒体のサイズと、これらの各パラメータとに基づいて、その記録媒体のサイズに応じた数値が得られるようになっている。
【００３７】
記憶部１８は、このようなレイアウト情報ＩＬを複数記憶することができるように構成されている。そして、多機能周辺装置１０では、ユーザからの指示に基づいて、記憶部１８に記憶された複数のレイアウト情報ＩＬから、使用するレイアウト情報ＩＬを選択することができるようになっている。
【００３８】
処理部２０（図１）は、不動産情報画像Ｐ１に基づいて、不動産情報画像Ｐ２を生成するものである。
【００３９】
図６は、処理部２０の一構成例を表すものである。処理部２０は、設定部２１と、領域解析部２２と、画像抽出部２３と、画像生成部２４と、処理制御部２５とを有している。なお、この図６には、処理部２０に加えて制御部１９をも描いている。
【００４０】
設定部２１は、不動産情報画像Ｐ２を生成するための設定処理を行うものである。設定部２１は、論理ページサイズ選択部２１１と、レイアウト情報選択部２１２と、業者情報画像選択部２１３とを有している。論理ページサイズ選択部２１１は、ユーザからの指示に基づいて、論理ページＬＰのサイズを選択するものである。具体的には、論理ページサイズ選択部２１１は、ユーザからの指示に基づいて、例えば“Ａ４”，“Ａ５”，“Ｂ４”，“Ｂ５”などのうちの１つを選択するようになっている。レイアウト情報選択部２１２は、ユーザからの指示に基づいて、記憶部１８に記憶された複数のレイアウト情報ＩＬのうち、使用するレイアウト情報ＩＬを選択するものである。業者情報画像選択部２１３は、ユーザからの指示に基づいて、使用する業者情報画像Ｐ２２を選択するものである。具体的には、業者情報画像選択部２１３は、ユーザからの指示に基づいて、記憶部１８に記憶された複数の業者情報画像Ｐ２２から、使用する業者情報画像Ｐ２２を選択し、もしくは、不動産情報画像Ｐ１に含まれる業者情報画像Ｐ１２を、使用する業者情報画像Ｐ２２として選択するようになっている。
【００４１】
領域解析部２２は、レイアウト情報選択部２１２が選択したレイアウト情報ＩＬに基づいて、領域解析処理を行うものである。領域解析部２２は、出力ページ領域解析部２２１と、業者情報領域解析部２２２と、物件情報領域解析部２２３とを有している。出力ページ領域解析部２２１は、出力ページ領域ＲＰ（図４）を解析するものである。業者情報領域解析部は、業者情報領域Ｒ２（図４，５）を解析するものである。物件情報領域解析部２２３は、物件情報領域Ｒ１（図４）を解析するとともに、物件情報領域Ｒ１１〜Ｒ１４（図５）を解析するものである。
【００４２】
画像抽出部２３は、画像抽出処理を行うことにより、不動産情報画像Ｐ１から物件情報画像Ｐ１１を抽出するものである。画像抽出部２３は、業者情報画像解析部２３１と、物件情報画像抽出部２３２と、業者情報画像抽出部２３３とを有している。業者情報画像解析部２３１は、不動産情報画像Ｐ１に含まれる業者情報画像Ｐ１２の位置および範囲を解析するものである。物件情報画像抽出部２３２は、不動産情報画像Ｐ１から物件情報画像Ｐ１１を抽出するものである。具体的には、物件情報画像抽出部２３２は、業者情報画像解析部２３１の解析結果に基づいて、不動産情報画像Ｐ１における業者情報画像Ｐ１２を切り捨てることにより、物件情報画像Ｐ１１を抽出するようになっている。業者情報画像抽出部２３３は、業者情報画像解析部２３１の解析結果に基づいて、不動産情報画像Ｐ１から業者情報画像Ｐ１２を抽出するものである。
【００４３】
画像生成部２４は、画像生成処理を行うことにより不動産情報画像Ｐ２を生成するものである。画像生成部２４は、画像編集部２４１と、画像配置部２４２とを有している。画像編集部２４１は、例えば、物件情報領域Ｒ１１〜Ｒ１４（図５）の形状に応じて、画像抽出部２３が抽出した物件情報画像Ｐ１１に対して、例えば、拡大処理、縮小処理、回転処理などの画像編集処理を行うことにより、物件情報画像Ｐ２１を生成するものである。また、画像編集部２４１は、業者情報領域Ｒ２（図４，５）の形状に応じて、業者情報画像Ｐ２２に対して、拡大処理、縮小処理、回転処理などの画像編集処理を行う機能をも有している。画像配置部２４２は、物件情報画像Ｐ２１および業者情報画像Ｐ２２を論理ページＬＰに並べて配置することにより、不動産情報画像Ｐ２を生成するものである。その際、画像配置部２４２は、例えば図５に示したように、論理ページＬＰに４つの物件情報領域Ｒ１１〜Ｒ１４がある場合には、多機能周辺装置１０が最初に受信した不動産情報画像Ｐ１に係る物件情報画像Ｐ２１から順に、物件情報領域Ｒ１１〜Ｒ１４に配置するようになっている。
【００４４】
処理制御部２５は、設定部２１、領域解析部２２、画像抽出部２３、および画像生成部２４の動作を制御するものである。
【００４５】
この構成により、処理部２０は、不動産情報画像Ｐ１に基づいて、不動産情報画像Ｐ２を生成するようになっている。この処理部２０における処理は、例えば、ハードウェアにより実現してもよいし、ソフトウェアによって実現してもよい。
【００４６】
制御部１９は、多機能周辺装置１０の動作を制御するものである。具体的には、例えば、印刷動作を行う場合には、制御部１９は、画像形成部１６に、ネットワーク通信部１１が受信した印刷データに基づいて画像形成動作を行わせる。また、例えば、スキャン動作を行う場合には、制御部１９は、画像読取部１５に読取動作を行わせることにより読取データを生成させる。また、例えば、コピー動作を行う場合には、制御部１９は、画像読取部１５に読取動作を行わせることにより読取データを生成させ、画像形成部１６に、その読取データに基づいて画像形成動作を行わせる。また、例えば、ＦＡＸ送信を行う場合には、制御部１９は、画像読取部１５に読取動作を行わせることにより読取データを生成させ、ＦＡＸ通信部１２にその読取データを送信させる。
【００４７】
また、制御部１９は、不動産情報画像Ｐ２を印刷する場合には、まず、不動産情報取得部１７に不動産情報ＩＮＦを取得させ、記憶部１８にその不動産情報ＩＮＦ（不動産情報画像Ｐ１）を記憶させる。そして、制御部１９は、処理部２０に、不動産情報画像Ｐ１に基づいて不動産情報画像Ｐ２を生成させ、画像形成部１６に、その不動産情報画像Ｐ２に基づいて記録媒体に画像を形成させる。
【００４８】
この制御部１９における処理は、例えば、ハードウェアにより実現してもよいし、ソフトウェアによって実現してもよい。
【００４９】
ここで、画像抽出部２３は、本発明における「抽出部」の一具体例に対応する。画像生成部２４は、本発明における「配置部」の一具体例に対応する。画像形成部１６は、本発明における「画像形成部」の一具体例に対応する。業者情報画像選択部２１３は、本発明における「選択部」の一具体例に対応する。不動産情報画像Ｐ１は、本発明における「第１のページ画像」の一具体例に対応する。不動産情報画像Ｐ２は、本発明における「第２のページ画像」の一具体例に対応する。物件情報画像Ｐ１１は、本発明における「第１の部分画像」の一具体例に対応する。業者情報画像Ｐ１２は、本発明における「第２の部分画像」の一具体例に対応する。業者情報画像Ｐ２２は、本発明における「所定画像」の一具体例に対応する。
【００５０】
［動作および作用］
続いて、本実施の形態の情報処理システム１の動作および作用について説明する。
【００５１】
（全体動作概要）
まず、図１を参照して、多機能周辺装置１０の全体動作概要を説明する。例えば、印刷動作を行う場合には、ネットワーク通信部１１が印刷データを受信し、画像形成部１６が、この印刷データに基づいて記録媒体に画像を形成する。また、例えば、コピー動作を行う場合には、画像読取部１５は、読取媒体に印刷された情報を読み取ることにより読取データを生成し、画像形成部１６は、その読取データに基づいて記録媒体に画像を形成する。
【００５２】
また、例えば、不動産情報画像Ｐ２を印刷する場合には、まず、不動産情報取得部１７は、例えば、操作部１３や表示部１４を用いて、ユーザに、検索キーワードを入力させ、ネットワーク通信部１１は、この検索キーワードを、物件情報サーバ装置９に送信する。物件情報サーバ装置９は、その検索キーワードに基づいて不動産情報ＩＮＦを選択し、選択した不動産情報ＩＮＦを多機能周辺装置１０に送信する。多機能周辺装置１０のネットワーク通信部１１は、不動産情報ＩＮＦ（不動産情報画像Ｐ１）を受信し、記憶部１８は、不動産情報画像Ｐ１を記憶する。処理部２０は、不動産情報画像Ｐ１に基づいて不動産情報画像Ｐ２を生成する。そして、画像形成部１６は、その不動産情報画像Ｐ２に基づいて記録媒体に画像を形成する。
【００５３】
（詳細動作）
次に、処理部２０における、不動産情報画像Ｐ１に基づいて不動産情報画像Ｐ２を生成する動作について、詳細に説明する。
【００５４】
図７は、処理部２０の一動作例を表すものである。処理部２０は、記憶部１８に記憶された不動産情報画像Ｐ１、業者情報画像Ｐ２２、およびレイアウト情報ＩＬに基づいて、不動産情報画像Ｐ２を生成する。以下に、この動作について詳細に説明する。
【００５５】
まず、処理部２０の設定部２１は、不動産情報画像Ｐ２の生成に先立ち、設定処理を行う（ステップＳ１０１）。
【００５６】
図８は、設定処理の一例を表すものである。設定部２１は、ユーザからの指示に基づいて、論理ページＬＰのサイズ、使用するレイアウト情報ＩＬ、および使用する業者情報画像Ｐ２２を選択する。以下に、これらの処理について詳細に説明する。
【００５７】
まず、設定部２１の論理ページサイズ選択部２１１は、ユーザからの指示に基づいて、論理ページＬＰのサイズを選択する（ステップＳ１１１）。具体的には、論理ページサイズ選択部２１１は、ユーザからの指示に基づいて、不動産情報画像Ｐ２を印刷する記録媒体のサイズ（例えば“Ａ４”など）を選択する。
【００５８】
次に、設定部２１のレイアウト情報選択部２１２は、ユーザからの指示に基づいて、記憶部１８に記憶された複数のレイアウト情報ＩＬのうち、使用するレイアウト情報ＩＬを選択する（ステップＳ１１２）。具体的には、レイアウト情報選択部２１２は、ユーザからの指示に基づいて、例えば、図２（Ｂ）、図３（Ｂ），（Ｃ）に示したレイアウトなどを含む複数のレイアウトのうちの１つを選択する。
【００５９】
次に、設定部２１の業者情報画像選択部２１３は、ユーザからの指示に基づいて、使用する業者情報画像Ｐ２２を選択する（ステップＳ１１３）。具体的には、業者情報画像選択部２１３は、ユーザからの指示に基づいて、記憶部１８に記憶された複数の業者情報画像Ｐ２２から、使用する業者情報画像Ｐ２２を選択し、もしくは、不動産情報画像Ｐ１に含まれる業者情報画像Ｐ１２を、使用する業者情報画像Ｐ２２として選択する。
【００６０】
図９は、業者情報画像Ｐ２２を選択する際に表示部１４に表示される表示画像３００の一例を表すものである。表示画像３００は、操作部３０１，３０２，３０３と、ボタン３０４，３０５とを含んでいる。
【００６１】
操作部３０１は、記憶部１８に記憶された複数の業者情報画像Ｐ２２から使用する業者情報画像Ｐ２２を選択する場合に、ユーザが操作するものである。操作部３０１は、ラジオボタンと、選択ボタンとを含んでいる。ユーザが操作部３０１を操作することにより、このラジオボタンが選択表示される。また、ユーザが選択ボタンを操作することにより、以下に説明する表示画像３１０が表示される。
【００６２】
図１０は、表示画像３１０の一例を表すものである。表示画像３１０は、操作部３１１と、ボタン３１２，３１３とを含んでいる。操作部３１１には、記憶部１８に記憶された複数の業者情報画像Ｐ２２の登録名の一覧が表示される。そして、ユーザの操作に基づいて、業者情報画像選択部２１３は、使用する業者情報画像Ｐ２２を選択する。ボタン３１２は、この選択動作を有効にするためのボタンであり、ボタン３１３は、この選択動作をキャンセルするためのボタンである。
【００６３】
このようにして、ユーザがこの操作部３０１（図９）を操作することにより、業者情報画像選択部２１３は、記憶部１８に記憶された複数の業者情報画像Ｐ２２から、使用する業者情報画像Ｐ２２を選択する。
【００６４】
操作部３０２（図９）は、不動産情報画像Ｐ１に含まれる業者情報画像Ｐ１２を、使用する業者情報画像Ｐ２２として選択する場合に、ユーザが操作するものである。操作部３０２は、ラジオボタンとテキストボックスとを含んでいる。ユーザが操作部３０２を操作することにより、このラジオボタンが選択表示される。また、ユーザがテキストボックスに数字を入力することにより、その数字に対応する業者情報画像Ｐ１２が業者情報画像Ｐ２２として選択される。具体的には、例えばユーザがテキストボックスに“１”を入力した場合には、業者情報画像抽出部２３３が、複数の不動産情報画像Ｐ１のうちの１番目の画像から、業者情報画像Ｐ１２を抽出し、業者情報画像選択部２１３が、この抽出した業者情報画像Ｐ１２を、使用する業者情報画像Ｐ２２として選択する。
【００６５】
操作部３０３は、プレビュー画面を表示して使用する業者情報画像Ｐ２２を選択する場合に、ユーザが操作するものである。操作部３０３は、ラジオボタンと、選択ボタンとを含んでいる。ユーザが操作部３０３を操作することにより、このラジオボタンが選択表示される。また、ユーザが選択ボタンを操作することにより、以下に説明する表示画像３２０が表示される。
【００６６】
図１１は、表示画像３２０の一例を表すものである。表示画像３２０は、操作部３２１と、ボタン３２２と、プレビュー表示部３２３と、ボタン３２４，３２５とを含んでいる。
【００６７】
操作部３２１は、不動産情報画像Ｐ１に含まれる業者情報画像Ｐ１２を、使用する業者情報画像Ｐ２２として選択してプレビュー表示を行う場合に、ユーザが操作するものである。操作部３２１には、業者情報画像抽出部２３３が複数の不動産情報画像Ｐ１から抽出した業者情報画像Ｐ１２の一覧が表示される。そして、業者情報画像選択部２１３は、ユーザの操作に基づいて、使用する業者情報画像Ｐ２２を選択する。この例では、Ａ不動産、Ｂ不動産、Ｃ不動産、およびＤ不動産の業者情報画像Ｐ２２が表示されており、ユーザはＣ不動産を選択している。すなわち、物件情報サーバ装置９から取得した不動産情報ＩＮＦには、この不動産情報画像Ｐ１を取得した不動産業者（この例では“Ｃ不動産”）が登録した情報が含まれている場合がある。よって、業者情報画像選択部２１３は、不動産情報画像Ｐ１から抽出した業者情報画像Ｐ１２を、業者情報画像Ｐ２２として選択することができるようになっている。
【００６８】
なお、業者情報画像抽出部２３３が、ある不動産情報画像Ｐ１から業者情報画像Ｐ１２を抽出できなかった場合には、例えば、操作部３２１における、その抽出できなかった業者情報画像Ｐ１２に係る部分については、ユーザが操作できないようにしてもよい。
【００６９】
また、操作部３２１には、各業者情報画像Ｐ１２に対応するように、調整ボタンが設けられている。ユーザがこの調整ボタンを操作することにより、以下に説明する表示画像３３０が表示される。
【００７０】
図１２は、表示画像３３０の一例を表すものである。表示画像３３０は、表示部３３１と、操作部３３２と、ボタン３３３，３３４とを含んでいる。表示部３３１には、不動産情報画像Ｐ１が表示されるとともに、その不動産情報画像Ｐ１における物件情報画像Ｐ１１と業者情報画像Ｐ１２との間の境界線が表示される。操作部３３２は、この境界線を上下方向に移動させるためのものである。物件情報画像抽出部２３２は、この境界線よりも上の画像を物件情報画像Ｐ１１として抽出し、業者情報画像抽出部２３３は、この境界線よりも下の画像を業者情報画像Ｐ１２として抽出する。ボタン３３３は、この調整動作を有効にするためのボタンであり、ボタン３３４は、この調整動作をキャンセルするためのボタンである。
【００７１】
ボタン３２２は、記憶部１８に記憶された複数の業者情報画像Ｐ２２から使用する業者情報画像Ｐ２２を選択してプレビュー表示を行う場合に、ユーザが操作するボタンである。ユーザがこのボタン３２２を操作することにより、図１０に示した表示画像３１０が表示される。
【００７２】
プレビュー表示部３２３は、生成された不動産情報画像Ｐ２をプレビュー表示するものである。すなわち、このプレビュー表示部３２３には、図７に示したフローにより生成された不動産情報画像Ｐ２が表示されるようになっている。ボタン３２４は、この選択動作を有効にするためのボタンであり、ボタン３２５は、この選択動作をキャンセルするためのボタンである。
【００７３】
このようにして、ユーザが操作部３０３（図９）を操作することにより、業者情報画像選択部２１３は、プレビュー画面を表示して、使用する業者情報画像Ｐ２２を選択する。
【００７４】
ボタン３０４（図９）は、操作部３０１〜３０３を用いた選択動作を有効にするためのボタンであり、ボタン３０５は、この選択動作をキャンセルするためのボタンである。
【００７５】
このようにして、業者情報画像選択部２１３は、ユーザからの指示に基づいて、表示画像３００，３１０，３２０，３３０を用いて、使用する業者情報画像Ｐ２２を選択する。
【００７６】
以上で、図８に示した設定処理（図７におけるステップＳ１０１）は終了する。
【００７７】
次に、図７に示したように、処理部２０の領域解析部２２は、領域解析処理を行う（ステップＳ１０２）。
【００７８】
図１３は、領域解析処理の一例を表すものである。領域解析部２２は、ステップＳ１１１において選択した論理ページＬＰのサイズ、およびステップＳ１１２において選択したレイアウト情報ＩＬに基づいて、出力ページ領域ＲＰ、業者情報領域Ｒ２、および物件情報領域Ｒ１を解析する。以下に、この処理について詳細に説明する。
【００７９】
まず、領域解析部２２の出力ページ領域解析部２２１は、論理ページＬＰのサイズ、およびレイアウト情報ＩＬに基づいて、出力ページ領域ＲＰを解析する（ステップＳ１２１）。具体的には、出力ページ領域解析部２２１は、論理ページＬＰのサイズ、および出力ページ領域ＲＰの配置位置（座標）、幅、高さ、回転角などのパラメータに基づいて、記録媒体のサイズに応じた数値を取得することにより、出力ページ領域ＲＰを解析する。
【００８０】
次に、領域解析部２２の業者情報領域解析部２２２は、論理ページＬＰのサイズ、およびレイアウト情報ＩＬに基づいて、業者情報領域Ｒ２を解析する（ステップＳ１２２）。具体的には、業者情報領域解析部２２２は、論理ページＬＰのサイズ、および業者情報領域Ｒ２の配置位置（座標）、幅、高さ、回転角などのパラメータに基づいて、記録媒体のサイズに応じた数値を取得することにより、業者情報領域Ｒ２を解析する。
【００８１】
次に、領域解析部２２の物件情報領域解析部２２３は、論理ページＬＰのサイズ、およびレイアウト情報ＩＬに基づいて、物件情報領域Ｒ１を解析する（ステップＳ１２３）。具体的には、物件情報領域解析部２２３は、論理ページＬＰのサイズ、および物件情報領域Ｒ１の配置位置（座標）、幅、高さ、回転角などのパラメータに基づいて、記録媒体のサイズに応じた数値を取得することにより、物件情報領域Ｒ１を解析する。その際、物件情報領域解析部２２３は、物件情報領域Ｒ１が、例えば図５に示したようにさらに複数の物件情報領域Ｒ１１〜Ｒ１４に区分される場合には、物件情報領域Ｒ１１〜Ｒ１４のそれぞれをも解析する。
【００８２】
以上で、領域解析処理（図７におけるステップＳ１０２）は終了する。
【００８３】
次に、図７に示したように、処理部２０の画像抽出部２３は、記憶部１８に記憶された複数の不動産情報画像Ｐ１から、論理ページＬＰの１枚分の不動産情報画像Ｐ１を取得する（ステップＳ１０３）。すなわち、画像抽出部２３は、例えば、図３（Ｂ）の例では、４枚の不動産情報画像Ｐ１を取得し、図３（Ｃ）の例では、２枚の不動産情報画像Ｐ２を取得する。
【００８４】
次に、画像抽出部２３は、画像抽出処理を行う（ステップＳ１０４）。
【００８５】
図１４は、画像抽出処理の一例を表すものである。画像抽出部２３は、不動産情報画像Ｐ１のそれぞれにおいて、業者情報画像Ｐ１２の位置および範囲を解析し、その解析結果に基づいて、物件情報画像Ｐ１１を抽出する。以下に、この処理について詳細に説明する。
【００８６】
まず、画像抽出部２３の業者情報画像解析部２３１は、不動産情報画像Ｐ１における、業者情報画像Ｐ１２の位置および範囲を解析する（ステップＳ１３１）。具体的には、業者情報画像解析部２３１は、例えば、不動産情報画像Ｐ１において、物件情報画像Ｐ１１と業者情報画像Ｐ１２との間に、例えば区切り線がある場合には、その区切り線を検出し、その検出結果に基づいて業者情報画像Ｐ１２の位置および範囲を求める。また、業者情報画像解析部２３１は、例えば、業者情報画像Ｐ１２が塗りつぶされた画像である場合には、物件情報画像Ｐ１１と業者情報画像Ｐ１２との間の濃度段差に基づいて境界を検出し、その検出結果に基づいて業者情報画像Ｐ１２の位置および範囲を求める。
【００８７】
次に、画像抽出部２３の物件情報画像抽出部２３２は、不動産情報画像Ｐ１から物件情報画像Ｐ１１を抽出する（ステップＳ１３２）。具体的には、物件情報画像抽出部２３２は、業者情報画像解析部２３１の解析結果に基づいて、不動産情報画像Ｐ１における業者情報画像Ｐ１２を切り捨てることにより、物件情報画像Ｐ１１を抽出する。
【００８８】
次に、画像抽出部２３は、論理ページＬＰの１枚分の物件情報画像Ｐ１１を抽出したか否かを確認する（ステップＳ１３３）。論理ページＬＰの１枚分の物件情報画像Ｐ１１をまだ抽出していない場合（ステップＳ１３３において“Ｎ”）には、ステップＳ１３１に戻り、全てを抽出するまでステップＳ１３１〜Ｓ１３３を繰り返す。
【００８９】
ステップＳ１３３において、論理ページＬＰの１枚分の物件情報画像Ｐ１１をすでに抽出した場合（ステップＳ１３３において“Ｙ”）には、画像抽出処理（図７におけるステップＳ１０４）は終了する。
【００９０】
次に、図７に示したように、処理部２０の画像生成部２４は、画像生成処理を行う（ステップＳ１０５）。
【００９１】
図１５は、画像生成処理の一例を表すものである。画像生成部２４は、ステップＳ１０４において抽出した物件情報画像Ｐ１１のそれぞれに対して画像編集処理を行うことにより物件情報画像Ｐ２１を生成するとともに、ステップＳ１１３において選択した業者情報画像Ｐ２２に対して画像編集処理を行い、物件情報画像Ｐ２１および業者情報画像Ｐ２２を論理ページＬＰに並べて配置する。以下に、この処理について詳細に説明する。
【００９２】
まず、画像生成部２４の画像編集部２４１は、ステップＳ１０４において抽出した物件情報画像Ｐ１１に対して画像編集処理を行うことにより物件情報画像Ｐ２１を生成し、画像生成部２４の画像配置部２４２は、その物件情報画像Ｐ２１を論理ページＬＰにおける物件情報領域Ｒ１に配置する（ステップＳ１４１）。物件情報領域Ｒ１が、例えば図５に示したようにさらに複数の物件情報領域Ｒ１１〜Ｒ１４に区分される場合には、物件情報画像Ｐ２１を物件情報領域Ｒ１１〜Ｒ１４に配置する。その際、画像編集部２４１は、物件情報領域Ｒ１１〜Ｒ１４の形状に応じて、物件情報画像Ｐ１１に対して拡大処理、縮小処理、回転処理などを行う。具体的には、画像編集部２４１は、例えば、物件情報画像Ｐ１１の高さと幅との比を維持したまま、物件情報領域Ｒ１１〜Ｒ１４の大きさに合うように、拡大処理または縮小処理を行う。
【００９３】
次に、画像生成部２４は、論理ページＬＰの１枚分の物件情報画像Ｐ２１を配置したか否かを確認する（ステップＳ１４２）。論理ページＬＰの１枚分の物件情報画像Ｐ２１をまだ配置していない場合（ステップＳ１４２において“Ｎ”）には、ステップＳ１４１に戻り、全てを配置するまでステップＳ１４１，Ｓ１４２を繰り返す。
【００９４】
ステップＳ１４２において、論理ページＬＰの１枚分の物件情報画像Ｐ２１をすでに配置した場合（ステップＳ１４２において“Ｙ”）には、画像編集部２４１は、ステップＳ１１３において選択した業者情報画像Ｐ２２に対して画像編集処理を行い、画像配置部２４２は、画像編集処理が施された業者情報画像Ｐ２２を論理ページＬＰにおける業者情報領域Ｒ２に配置する（ステップＳ１４３）。この場合も、画像編集部２４１は、業者情報領域Ｒ２の形状に応じて、業者情報画像Ｐ２２に対して拡大処理、縮小処理、回転処理などを行う。具体的には、画像編集部２４１は、例えば、業者情報画像Ｐ２２の高さと幅との比を維持したまま、業者情報領域Ｒ２の大きさに合うように、拡大処理または縮小処理を行う。
【００９５】
以上で、画像生成処理（ステップＳ１０５）は終了する。このようにして、画像生成部２４は、不動産情報画像Ｐ２を生成する。
【００９６】
次に、図７に示したように、処理部２０は、全ての不動産情報画像Ｐ１に対する処理を終了したか否かを確認する（ステップＳ１０６）。全ての不動産情報画像Ｐ１に対する処理をまだ終了していない場合（ステップＳ１０６において“Ｎ”）には、ステップＳ１０３に戻り、全ての不動産情報画像Ｐ１に対する処理を終了するまでステップＳ１０３〜Ｓ１０６を繰り返す。
【００９７】
全ての不動産情報画像Ｐ１に対する処理をすでに終了した場合（ステップＳ１０６において“Ｙ”）には、このフローは終了する。
【００９８】
そして、多機能周辺装置１０の画像形成部１６は、制御部１９からの指示に基づいて、このフローにより生成された不動産情報画像Ｐ２を記録媒体に形成する。
【００９９】
このように、多機能周辺装置１０では、例えば、図３に示したように、予め設定した複数枚の不動産情報画像Ｐ１に基づいて、１枚の不動産情報画像Ｐ２を生成する。その際、多機能周辺装置１０は、複数の物件情報画像Ｐ２１と１つの業者情報画像Ｐ２２とを並べて配置することにより、不動産情報画像Ｐ２を生成する。これにより、多機能周辺装置１０では、画像を見やすくすることができる。すなわち、例えば、図１６に示したように、不動産情報画像Ｐ１のそれぞれにおいて業者情報画像Ｐ１２を業者情報画像Ｐ２２に置き換え、その置き換えた画像をそのまま縮小して配置した場合には、業者情報画像Ｐ２２が縮小されてしまうため、業者についての情報が見にくくなってしまう。また、複数の業者情報画像Ｐ２２を記録媒体に印刷するため、スペースが無駄に使用され、例えばトナーなどの消耗品が消耗してしまう。
【０１００】
一方、多機能周辺装置１０では、例えば、不動産情報画像Ｐ１のうちの物件情報画像Ｐ１１を縮小することにより物件情報画像Ｐ２１を生成し、複数の物件情報画像Ｐ２１と１つの業者情報画像Ｐ２２とを並べて配置した。その結果、業者情報画像Ｐ２２を大きくすることができるため、業者についての情報を見やすくすることができる。また、多機能周辺装置１０では、１つの業者情報画像Ｐ２２を記録媒体に大きく印刷するため、スペースを効率的に使用することができ、その結果、消耗品を節約することができる。
【０１０１】
［効果］
以上のように本実施の形態では、複数の物件情報画像Ｐ２１と、１つの業者情報画像Ｐ２２とを並べて配置することにより不動産情報画像を生成したので、画像を見やすくすることができるとともに、消耗品を節約することができる。
【０１０２】
［変形例１］
上記実施の形態では、設定部２１の業者情報画像選択部２１３は、ユーザからの指示に基づいて、記憶部１８に記憶された複数の業者情報画像Ｐ２２から、使用する業者情報画像Ｐ２２を選択できるようにしたが、これに限定されるものではない。これに代えて、例えば、業者情報画像選択部２１３は、使用するレイアウト情報ＩＬに基づいて、記憶部１８に記憶された複数の業者情報画像Ｐ２２から、使用する業者情報画像Ｐ２２を選択してもよい。具体的には、業者情報画像選択部２１３は、例えば、業者情報領域Ｒ２における高さと幅との比を求め、記憶部１８に記憶された複数の業者情報画像Ｐ２２のうち、高さと幅との比が業者情報領域Ｒ２における高さと幅との比に近いものを、使用する業者情報画像Ｐ２２として選択してもよい。また、業者情報画像選択部２１３は、例えば、論理ページＬＰの向きに基づいて、使用する業者情報画像Ｐ２２を選択してもよい。具体的には、例えば、図３（Ｂ）に示したように、横向きの論理ページＬＰに配置するための業者情報画像Ｐ２２と、図３（Ｃ）に示したように、縦向きの論理ページＬＰに配置するための業者情報画像Ｐ２２と記憶部１８に記憶させた場合には、業者情報画像選択部２１３は、論理ページＬＰの向きに基づいて、使用する業者情報画像Ｐ２２を選択することができる。
【０１０３】
［変形例２］
上記実施の形態では、画像抽出部２３の業者情報画像解析部２３１は、物件情報画像Ｐ１１と業者情報画像Ｐ１２との間の区切り線や濃度段差に基づいて、業者情報画像Ｐ１２の位置および範囲を解析したが、これに限定されるものではない。例えば、業者情報画像Ｐ１２についてのデータベースを有するサーバ装置（図示せず）を設け、業者情報画像解析部２３１が、不動産情報画像Ｐ１をそのサーバ装置に送信して、そのサーバ装置にパターンマッチングを行わせることにより業者情報画像Ｐ１２を検出させ、その検出結果に基づいて業者情報画像Ｐ１２の位置および範囲を求めてもよい。また、業者情報画像解析部２３１が、不動産情報画像Ｐ１に対して文字認識処理を行うことにより、業者情報画像Ｐ１２の位置を求めてもよい。具体的には、例えば、不動産業者名についてのデータベースを有するサーバ装置（図示せず）を設け、業者情報画像解析部２３１が、不動産情報画像Ｐ１に対して文字認識処理を行うことにより文字情報を取得し、その文字情報が不動産業者名としてデータベースに登録されている場合に、その文字情報の位置に基づいて、業者情報画像Ｐ１２の位置および範囲を求めてもよい。その際、例えば、図１７に示すように、文字情報（この例では“Ａ不動産”）の上下方向における濃度を解析し、その解析結果に基づいて、業者情報画像Ｐ１２の上辺、下辺、左辺、および右辺を特定することにより、業者情報画像Ｐ１２の位置および範囲を求めてもよい。
【０１０４】
［変形例３］
上記実施の形態では、画像生成部２４の画像編集部２４１は、業者情報画像Ｐ２２の高さと幅との比を維持したまま、業者情報領域Ｒ２の大きさに合うように、業者情報画像Ｐ２２に対して拡大処理または縮小処理を行ったが、これに限定されるものではない。これに代えて、例えば、画像編集部２４１は、業者情報領域Ｒ２の大きさおよび形状に合うように、業者情報画像Ｐ２２の高さと幅との比を変更してもよい。具体的には、例えば、図１８（Ａ）に示すように、業者情報画像Ｐ２２の左右にスペースが生じる場合には、画像編集部２４１は、図１８（Ｂ）に示すように、幅方向の拡大縮小率を、高さ方向の拡大縮小率よりも大きくしてもよい。また、例えば、図１９（Ａ）に示すように、業者情報画像Ｐ２２の上下にスペースが生じる場合には、画像編集部２４１は、図１９（Ｂ）に示すように、高さ方向の拡大縮小率を、幅方向の拡大縮小率よりも大きくしてもよい。
【０１０５】
また、このように、高さ方向の拡大縮小率と幅方向の拡大縮小率とが互いに異なる場合には、図２０に示すように、この２つの拡大縮小率の比ＶＡＬが所定の範囲内に収まるように制限してもよい。この例では、比ＶＡＬには、上限値ＵＬと下限値ＬＬとを設けている。画像編集部２４１は、比ＶＡＬが上限値ＵＬより大きくなる場合には、比ＶＡＬを上限値ＵＬに設定する。また、比ＶＡＬが下限値ＬＬより小さくなる場合には、比ＶＡＬを下限値ＬＬに設定する。これにより、業者情報画像Ｐ２２が見にくくなるおそれを低減することができる。
【０１０６】
また、比ＶＡＬが“１”より大きいが“１”に近い場合や、比ＶＡＬが“１”より小さいが“１”に近い場合には、比ＶＡＬを“１”に維持するようにしてもよい。
【０１０７】
［変形例４］
上記実施の形態では、例えば、図３（Ｂ），（Ｃ）に示したように、横方向に延伸する業者情報画像Ｐ２２を、論理ページＬＰの下部に配置したが、これに限定されるものではない。これに代えて、例えば、図２１Ａに示すように、横方向に延伸する業者情報画像Ｐ２２を、論理ページＬＰの上部に配置してもよいし、図２１Ｂに示すように、縦方向に延伸する業者情報画像Ｐ２２を、論理ページＬＰの右部に配置してもよい。また、図２１Ｃに示すように、アルファベットの“Ｌ”字のような形状を有する業者情報画像Ｐ２２を配置してもよいし、図２１Ｄに示すように、十字形状を有する業者情報画像Ｐ２２を配置してもよい。また、図２１Ｅ，２１Ｆに示すように、物件情報画像Ｐ２１と同じような形状および大きさを有する業者情報画像Ｐ２２を配置してもよい。
【０１０８】
［変形例５］
上記実施の形態では、例えば、業者情報画像Ｐ２２の輪郭を直線で構成したが、これに限定されるものではなく、これに代えて、例えば、図２２に示すように、業者情報画像Ｐ２２の輪郭を曲線で構成してもよい。これにより、不動産情報画像Ｐ２のデザイン性を高めることができる。
【０１０９】
［変形例６］
上記実施の形態では、画像生成部２４の画像編集部２４１は、物件情報画像Ｐ２１の高さと幅との比を維持したまま、例えば物件情報領域Ｒ１１〜Ｒ１４の大きさに合うように、物件情報画像Ｐ２１に対して拡大処理または縮小処理を行ったが、これに限定されるものではない。これに代えて、例えば、画像編集部２４１は、物件情報領域Ｒ１１〜Ｒ１４の大きさおよび形状に合うように、物件情報画像Ｐ２１の高さと幅との比を変更してもよい。具体的には、例えば、図２３（Ａ）に示すように、物件情報画像Ｐ２１の左右にスペースが生じる場合には、画像編集部２４１は、図２３（Ｂ）に示すように、幅方向の拡大縮小率を、高さ方向の拡大縮小率よりも大きくしてもよい。また、例えば、図２４（Ａ）に示すように、物件情報画像Ｐ２１の上下にスペースが生じる場合には、画像編集部２４１は、図２４（Ｂ）に示すように、高さ方向の拡大縮小率を、幅方向の拡大縮小率よりも大きくしてもよい。
【０１１０】
また、このように、高さ方向の拡大縮小率と幅方向の拡大縮小率とが互いに異なる場合には、図２０に示すように、この２つの拡大縮小率の比ＶＡＬが所定の範囲内に収まるように制限してもよい。この例では、比ＶＡＬには、上限値ＵＬと下限値ＬＬとを設けている。画像編集部２４１は、比ＶＡＬが上限値ＵＬより大きくなる場合には、比ＶＡＬを上限値ＵＬに設定する。また、比ＶＡＬが下限値ＬＬより小さくなる場合には、比ＶＡＬを下限値ＬＬに設定する。これにより、物件情報画像Ｐ２１が見にくくなるおそれを低減することができる。
【０１１１】
また、比ＶＡＬが“１”より大きいが“１”に近い場合や、比ＶＡＬが“１”より小さいが“１”に近い場合には、比ＶＡＬを“１”に維持するようにしてもよい。
【０１１２】
また、例えば、複数の物件情報領域Ｒ１１〜Ｒ１４において、比ＶＡＬを互いに等しくしてもよい。これにより、例えば、ある物件情報画像Ｐ２１については、高さ方向の拡大縮小率が幅方向の拡大縮小率より大きくなり、他のある物件情報画像Ｐ２１については、高さ方向の拡大縮小率が幅方向の拡大縮小率より小さくなるようなことが生じないため、物件情報画像Ｐ２１を見やすくすることができる。
【０１１３】
［変形例７］
上記実施の形態では、不動産情報画像Ｐ２において、複数の物件情報画像Ｐ２１の大きさをほぼ等しくしたが、これに限定されるものではない。これに代えて、例えば、図２６に示すように、複数の物件情報画像Ｐ２１のうちのある物件情報画像Ｐ２１を大きくしてもよい。これにより、その物件情報画像Ｐ２１を目立たせることができる。このような不動産情報画像Ｐ２は、大きい物件情報領域を含むレイアウト情報ＩＬを準備することにより、上記実施の形態の場合と同様に実現することができる。
【０１１４】
図２６の例では、例えば、おすすめの不動産物件に係る物件情報画像Ｐ２１を大きくしてもよい。以下に、複数の物件情報画像Ｐ２１から、おすすめの不動産物件に係る物件情報画像Ｐ２１を決定する機能を有する情報処理システム１Ｇについて、詳細に説明する。
【０１１５】
図２７は、情報処理システム１Ｇの一構成例を表すものである。情報処理システム１Ｇは、多機能周辺装置１０Ｇを有している。この例では、物件情報サーバ装置９が管理する不動産情報ＩＮＦは、不動産情報画像Ｐ１に加え、その不動産情報画像Ｐ１に係る不動産物件についての詳細なテキスト情報（物件詳細情報ＤＴ）を含んでいる。具体的には、この物件詳細情報ＤＴは、例えば、その不動産物件の間取り、面積、築年数、価格（家賃、取引価格など）、最寄駅、住所などの情報を含んでいる。多機能周辺装置１０Ｇは、例えば、物件情報サーバ装置９に対して検索キーワードを送信し、その検索キーワードに基づいて選択された不動産情報ＩＮＦを受信するようになっている。多機能周辺装置１０Ｇは、記憶部１８Ｇと、処理部２０Ｇと、制御部１９Ｇとを有している。
【０１１６】
記憶部１８Ｇは、不動産情報画像Ｐ１、業者情報画像Ｐ２２、およびレイアウト情報ＩＬに加え、物件詳細情報ＤＴをも記憶するものである。物件詳細情報ＤＴは、不動産情報取得部１７により物件情報サーバ装置９から取得され、記憶部１８Ｇに記憶される。記憶部１８Ｇは、この物件詳細情報ＤＴを複数記憶することができるように構成されている。
【０１１７】
処理部２０Ｇは、上記実施の形態に係る処理部２０と同様に、不動産情報画像Ｐ１に基づいて不動産情報画像Ｐ２を生成するものである。
【０１１８】
図２８は、処理部２０Ｇの一構成例を表すものである。処理部２０Ｇは、画像生成部２４Ｇと、処理制御部２５Ｇとを有している。画像生成部２４Ｇは、検索ヒット率解析部２４３を有している。検索ヒット率解析部２４３は、多機能周辺装置１０Ｇが物件情報サーバ装置９に対して送信した検索キーワードと、物件詳細情報ＤＴとに基づいて、ヒット率を解析するものである。
【０１１９】
図２９は、検索ヒット率解析部２４３の一動作例を表すものである。この例では、多機能周辺装置１０Ｆは、３つの検索キーワードＫ１〜Ｋ３を物件情報サーバ装置９に対して送信し、物件情報サーバ装置９から、４つの不動産物件Ｂ１〜Ｂ４についての不動産情報ＩＮＦを受信している。検索ヒット率解析部２４３は、不動産物件Ｂ１〜Ｂ４のそれぞれが、検索キーワードＫ１〜Ｋ３に該当する物件であるか否かを確認する。この例では、不動産物件Ｂ２は、３つの検索キーワードＫ１〜Ｋ３の全てに該当している。よって、不動産物件Ｂ２のヒット率は１００％である。一方、不動産物件Ｂ１，Ｂ３，Ｂ４は、３つの検索キーワードＫ１〜Ｋ３のうちの２つに該当している。よって、不動産物件Ｂ１，Ｂ３，Ｂ４のヒット率は６７％である。なお、この例では、検索キーワードＫ１〜Ｋ３の重みを互いに等しくしたが、これに限定されるものではなく、これに代えて、例えば、検索キーワードＫ１の重みを、他の検索キーワードＫ２，Ｋ３の重みよりも大きくしてもよい。
【０１２０】
処理制御部２５Ｇは、上記実施の形態の処理制御部２５と同様に、設定部２１、領域解析部２２、画像抽出部２３、および画像生成部２４Ｇの動作を制御するものである。
【０１２１】
制御部１９Ｇ（図２７）は、上記実施の形態の制御部１９と同様に、多機能周辺装置１０Ｇの動作を制御するものである。
【０１２２】
この構成により、多機能周辺装置１０Ｇでは、検索ヒット率解析部２４３が、不動産物件のそれぞれに対して、ヒット率を求める。そして、画像配置部２４２は、ヒット率が高い不動産物件（図２９の例では不動産物件Ｂ２）に係る物件情報画像Ｐ２１を、大きい物件情報領域に配置する。
【０１２３】
また、この例では、複数の物件情報画像Ｐ２１のうちの１つ以上の大きさを大きくしたが、これに限定されるものではない。例えば、複数の物件情報画像Ｐ２１の大きさをほぼ等しくするとともに、その複数の物件情報画像Ｐ２１のうちのある物件情報画像Ｐ２１について、枠で囲い、あるいは背景色を変更してもよい。これにより、その物件情報画像Ｐ２１を目立たせることができる。また、例えば、複数の物件情報画像Ｐ２１の大きさをほぼ等しくするとともに、ヒット率が高い順に物件情報画像Ｐ２１を配置してもよい。
【０１２４】
［変形例８］
上記実施の形態では、例えば、図３に示したように、物件情報画像Ｐ１１に対して縮小処理を行うことにより物件情報画像Ｐ２１を生成したが、これに限定されるものではない。これに代えて、例えば、図３０に示すように、物件情報画像Ｐ１１に対して拡大処理を行うことにより物件情報画像Ｐ２１を生成してもよい。この例では、例えば、不動産情報画像Ｐ１は、Ａ４サイズの横向きの画像であり、不動産情報画像Ｐ２は、Ａ３サイズの横向きの画像である。そして、この例では、多機能周辺装置１０は、物件情報画像Ｐ１１に対して拡大処理を行い、拡大された物件情報画像Ｐ１１を物件情報画像Ｐ２１として配置している。また、例えば、図３１に示すように、物件情報画像Ｐ１１に対して大きさを変更せずに、物件情報画像Ｐ２１を生成してもよい。この例では、例えば、不動産情報画像Ｐ１は、Ａ４サイズの横向きの画像であり、不動産情報画像Ｐ２は、Ａ３サイズの縦向きの画像である。そして、この例では、多機能周辺装置１０は、物件情報画像Ｐ１１を、そのままのサイズで物件情報画像Ｐ２１として配置している。
【０１２５】
［変形例９］
上記実施の形態では、例えば、操作部１３や表示部１４を用いて、ユーザに、検索キーワードを入力させたが、これに限定されるものではない。これに替えて、例えば、画像読取部１５を用いて、検索キーワードを入力するためのマークシート用紙から、ユーザが入力した検索キーワードを読み取るようにしてもよい。
【０１２６】
また、上記実施の形態では、ネットワーク通信部１１が検索キーワードを物件情報サーバ装置９に送信したが、これに限定されるものではない。これに代えて、例えば、物件情報サーバ装置９がＦＡＸ受信機能を有するように構成し、ＦＡＸ通信部１２が、ユーザが検索キーワードを入力したマークシート用紙を、物件情報サーバ装置９に送信してもよい。
【０１２７】
［変形例１０］
上記実施の形態では、多機能周辺装置１０は、物件情報サーバ装置９から、インターネットＮＥＴを介して不動産情報ＩＮＦを取得したが、これに限定されるものではない。これに代えて、例えば、物件情報サーバ装置９がＦＡＸ受信機能を有するように構成し、多機能周辺装置１０が、物件情報サーバ装置９からＦＡＸを用いて、不動産情報ＩＮＦを取得し、記憶部１８に不動産情報画像Ｐ１を記憶してもよい。
【０１２８】
［その他の変形例］
また、これらの変形例のうちの２以上を組み合わせてもよい。
【０１２９】
以上、実施の形態およびいくつかの変形例を挙げて本技術を説明したが、本技術はこれらの実施の形態等には限定されず、種々の変形が可能である。
【０１３０】
例えば、上記実施の形態では、本技術を多機能周辺装置１０に適用したが、これに限定されるものではない。これに代えて、例えば、図３２に示す情報処理システム１Ｊのように、本技術をパーソナルコンピュータ３０に適用してもよい。この情報処理システム１Ｊは、パーソナルコンピュータ３０と、画像形成装置７とを備えている。
【０１３１】
パーソナルコンピュータ３０は、ネットワーク通信部３１と、通信部３２と、操作部３３と、表示部３４と、記憶部３８と、制御部３９とを有している。ネットワーク通信部３１は、上記実施の形態に係るネットワーク通信部１１と同様に、ネットワーク通信を行うものである。通信部３２は、例えばＵＳＢ（Universal Serial Bus）を用いて通信を行うものであり、この例では、画像形成装置７との間で通信を行うようになっている。操作部３３は、例えば、キーボード、マウス、タッチパネルなどを用いて構成されるものである。表示部３４は、例えば、液晶ディスプレイを用いて構成されるものである。記憶部３８は、例えば、ＲＡＭ、ＨＤＤ（Hard Disk Drive）、ＳＳＤ（Solid State Drive）などを含んで構成されるものである。この記憶部３８は、上記実施の形態に係る記憶部１８と同様に、不動産情報画像Ｐ１と、業者情報画像Ｐ２２と、レイアウト情報ＩＬとを記憶している。制御部３９は、例えば、ＣＰＵ（Central Processing Unit）を含んで構成されるものである。制御部３９は、不動産情報取得部３７と、処理部４０とを有している。不動産情報取得部３７および処理部４０は、上記実施の形態に係る不動産情報取得部１７および処理部２０にそれぞれ対応するものであり、例えばソフトウェアにより構成されている。
【０１３２】
画像形成装置７は、パーソナルコンピュータ３０から供給された印刷データに基づいて、記録媒体に画像を形成するものである。
【０１３３】
パーソナルコンピュータ３０は、上記実施の形態に係る多機能周辺装置１０と同様に、不動産情報画像Ｐ２を生成する。具体的には、不動産情報取得部３７は、例えば、操作部３３や表示部３４を用いて、ユーザに、検索キーワードを入力させ、ネットワーク通信部３１は、この検索キーワードを、物件情報サーバ装置９に送信する。物件情報サーバ装置９は、その検索キーワードに基づいて不動産情報ＩＮＦを選択し、選択した不動産情報ＩＮＦを多機能周辺装置１０に送信する。パーソナルコンピュータ３０のネットワーク通信部３１は、不動産情報ＩＮＦ（不動産情報画像Ｐ１）を受信し、記憶部３８は、不動産情報画像Ｐ１を記憶する。処理部４０は、不動産情報画像Ｐ１に基づいて不動産情報画像Ｐ２を生成する。そして、制御部３９は、この不動産情報画像Ｐ２についての印刷データを生成し、通信部３２が、この印刷データを画像形成装置７に送信する。その結果、画像形成装置７は、この印刷データに基づいて記録媒体に画像を形成する。
【０１３４】
なお、この例では、不動産情報画像Ｐ２を記録媒体に印刷したが、これに限定されるものではない。例えば、制御部３９が、不動産情報画像Ｐ２に基づいてＰＤＦ（Portable Document Format）ファイルを生成し、このＰＤＦファイルを、不動産を借りたい人や買いたい人に提示してもよい。また、このＰＤＦファイルを、インターネットのホームページに掲示してもよい。この場合、制御部３９は、本発明における「画像形成部」の一具体例に対応する。また、例えば、不動産情報画像Ｐ２を、表示部３４に表示してもよい。具体的には、例えば、不動産業者の店頭にこの表示部３４を設置することにより、デジタルサイネージを実現することができ、不動産を借りたい人や買いたい人に不動産物件を提示することができる。この場合、表示部３４は、本発明における「画像形成部」の一具体例に対応する。また、この例では、本技術をパーソナルコンピュータ３０に適用したが、これに限定されるものではなく、これに代えて、例えば、スマートフォンや、タブレットなどに適用してもよい。
【符号の説明】
【０１３５】
１，１Ｇ，１Ｊ…情報処理システム、７…画像形成装置、８…物件情報登録装置、９…物件情報サーバ装置、１０，１０Ｇ…多機能周辺装置、１１…ネットワーク通信部、１２…ＦＡＸ通信部、１３…操作部、１４…表示部、１５…画像読取部、１６…画像形成部、１７…不動産情報取得部、１８，１８Ｇ…記憶部、１９，１９Ｇ…制御部、２０，２０Ｇ…処理部、２１…設定部、２２…領域解析部、２３…画像抽出部、２４，２４Ｇ…画像生成部、２５，２５Ｇ…処理制御部、３０…パーソナルコンピュータ、３１…ネットワーク通信部、３２…通信部、３３…操作部、３４…表示部、３７…不動産情報取得部、３８…記憶部、３９…制御部、４０…処理部、２１１…論理ページサイズ選択部、２１２…レイアウト情報選択部、２１３…業者情報画像選択部、２２１…出力ページ領域解析部、２２２…業者情報領域解析部、２２３…物件情報領域解析部、２３１…業者情報画像解析部、２３２…物件情報画像抽出部、２３３…業者情報画像抽出部、２４１…画像編集部、２４２…画像配置部、２４３…検索ヒット率解析部、３００，３１０，３２０，３３０…表示画像、３０１〜３０３…操作部、３０４，３０５…ボタン、３１１…操作部、３１２，３１３…ボタン、３２１…操作部、３２２…ボタン、３２３…プレビュー表示部、３２４，３２５…ボタン、３３１…表示部、３３２…操作部、３３３，３３４…ボタン、Ｂ１〜Ｂ４…不動産物件、ＤＴ…物件詳細情報、ＩＬ…レイアウト情報、ＩＮＦ…不動産情報、Ｋ１〜Ｋ３…検索キーワード、ＬＬ…下限値、ＬＰ…論理ページ、ＮＥＴ…インターネット、Ｐ１，Ｐ２…不動産情報画像、Ｐ１１，Ｐ２１…物件情報画像、Ｐ１２，Ｐ２２…業者情報画像、ＲＰ…出力ページ領域、Ｒ１，Ｒ１１〜Ｒ１４…物件情報領域、Ｒ２…業者情報領域、ＵＬ…上限値、ＶＡＬ…比。
【図１】
2018046363.tif 000003
【図２】
2018046363.tif 000004
【図３】
2018046363.tif 000005
【図４】
2018046363.tif 000006
【図５】
2018046363.tif 000007
【図６】
2018046363.tif 000008
【図７】
2018046363.tif 000009
【図８】
2018046363.tif 000010
【図９】
2018046363.tif 000011
【図１０】
2018046363.tif 000012
【図１１】
2018046363.tif 000013
【図１２】
2018046363.tif 000014
【図１３】
2018046363.tif 000015
【図１４】
2018046363.tif 000016
【図１５】
2018046363.tif 000017
【図１６】
2018046363.tif 000018
【図１７】
2018046363.tif 000019
【図１８】
2018046363.tif 000020
【図１９】
2018046363.tif 000021
【図２０】
2018046363.tif 000022
【図２１Ａ】
2018046363.tif 000023
【図２１Ｂ】
2018046363.tif 000024
【図２１Ｃ】
2018046363.tif 000025
【図２１Ｄ】
2018046363.tif 000026
【図２１Ｅ】
2018046363.tif 000027
【図２１Ｆ】
2018046363.tif 000028
【図２２】
2018046363.tif 000029
【図２３】
2018046363.tif 000030
【図２４】
2018046363.tif 000031
【図２５】
2018046363.tif 000032
【図２６】
2018046363.tif 000033
【図２７】
2018046363.tif 000034
【図２８】
2018046363.tif 000035
【図２９】
2018046363.tif 000036
【図３０】
2018046363.tif 000037
【図３１】
2018046363.tif 000038
【図３２】
2018046363.tif 000039